(57)【要約】【課題】光コネクタを抜いたときに能動的なデバイスを使用せずに光信号の経路を切り替える光遮断アダプタ及び光受信装置、光受信システムを提供する。【解決手段】収容槽３Ｃ内に収容され、光を反射する流体でなる水銀３Ｂと、一対の光コネクタ２、４がそれぞれ挿入されるハウジング３Ａ両端部の挿入口間を貫通して設けられ、かつ収容槽底部と連通してなる貫通路３Ｇ内に収容されて、一対の光コネクタの挿入口への挿入時に光コネクタの押圧力により摺動し対向する端面間が当接することで光信号の通路を形成する一対のスリーブ３Ｅ、３Ｆの一方を、光コネクタの挿入口への非挿入時に他方と離反する方向に摺動するよう付勢することで貫通路内の一対のスリーブ端面間に収容槽と連通する空隙３Ｊを形成して当該空隙に収容槽内に収容された水銀を流し込むバネ３Ｈとを備える。【選択図】        図１
2004271745.tif 000002
【特許請求の範囲】
【請求項１】
ハウジング内に設けられて光を反射する流体を収容した収容槽と、
一対の光コネクタがそれぞれ挿入されるハウジング両端部の挿入口間を貫通して設けられ、かつ前記収容槽底部と連通する貫通路と、
前記貫通路内に収容されて、前記挿入口への挿入時に前記光コネクタの押圧力により摺動し対向する端面間が当接することで光信号の通路を形成する一対のスリーブと、
前記一対のスリーブの少なくともいずれか一方のスリーブを、前記挿入口への非挿入時に他方のスリーブと離反する方向に摺動するよう付勢することで前記貫通路内の前記一対のスリーブ端面間に前記収容槽と連通する空隙を形成して、前記空隙に前記収容槽内に収容された流体を流し込むバネとを、
備えた光遮断アダプタ。
【請求項２】
請求項１に記載の光遮断アダプタにおいて、
前記バネは、前記一対のスリーブのそれぞれに備えられて、各スリーブを、前記挿入口への非挿入時に他方のスリーブと離反する方向に摺動するよう付勢するよう構成されている光遮断アダプタ。
【請求項３】
請求項１又は２に記載の光遮断アダプタと、前記光遮断アダプタの両端に接続された前記一対の光コネクタと、前記一対の光コネクタのうち出力側の光コネクタを介して前記光遮断アダプタに接続された光受信器とを更に備えた光受信装置。
【請求項４】
請求項３に記載の光受信装置と、前記光受信装置に備えられた前記光受信器側に接続された前記光コネクタとは反対側の光コネクタに接続されたサーキュレータと、前記光受信器側の前記光コネクタを抜いたときに前記光遮断アダプタで反射した光信号を、前記サーキュレータを介して受信する予備の光受信器とを更に備えた光受信装置。
【請求項５】
請求項４に記載の光受信装置と、複数の前記予備の光受信器と、複数の前記サーキュレータとを備えた光受信システム。
【発明の詳細な説明】
【０００１】
【発明の属する技術分野】
本発明は、光通信をする場合に使用される光コネクタを接続するアダプタに係り、光信号の経路を切り替える光遮断アダプタと、この光遮断アダプタを備えた光受信装置並びに光受信システムに関する。
【０００２】
【従来の技術】
光コネクタの挿抜時に光を外に漏らさない光アダプタの一例が、下記特許文献１に記載されている。この光アダプタは、光コネクタの挿抜動作に連動して光アダプタ内の光軸を遮る遮光手段を備えることで、光信号を漏らすことはなく、アダプタ内部で吸収している。
【０００３】
【特許文献１】
特開平１１−３５２３６５号公報
【０００４】
【発明が解決しようとする課題】
しかしながら、このような光アダプタを用いて光信号を予備の光受信装置に入力しようとする場合には、光アダプタに光信号を入力する前に、光スイッチで予備の光受信装置に切り替えることが必要である。
【０００５】
本発明は、上述した従来例に係る問題点に鑑みてなされたもので、光アダプタに接続された光コネクタが抜かれる場合に、光スイッチのような能動的なデバイス及びその制御回路を使用せずに光信号の経路を切り替えることができる光遮断アダプタ及び光受信装置並びに光受信システムを提供することを目的とする。
【０００６】
【課題を解決するための手段】
上記目的を達成するために、本発明に係る光遮断アダプタは、ハウジング内に設けられて光を反射する流体を収容した収容槽と、一対の光コネクタがそれぞれ挿入されるハウジング両端部の挿入口間を貫通して設けられ、かつ前記収容槽底部と連通する貫通路と、前記貫通路内に収容されて、前記挿入口への挿入時に前記光コネクタの押圧力により摺動し対向する端面間が当接することで光信号の通路を形成する一対のスリーブと、前記一対のスリーブの少なくともいずれか一方のスリーブを、前記挿入口への非挿入時に他方のスリーブと離反する方向に摺動するよう付勢することで前記貫通路内の前記一対のスリーブ端面間に前記収容槽と連通する空隙を形成して、前記空隙に前記収容槽内に収容された流体を流し込むバネとを備えたものである。この構成によれば、光遮断アダプタに接続された光コネクタが抜かれる場合に、光スイッチのような能動的なデバイス及びその制御回路を使用せずに光信号の経路を切り替えることができるので、光信号が外部に漏れることがなく、保守作業時に光信号のレーザ光を直視する危険性を避けることができる。
【０００７】
また、前記光遮断アダプタにおいて前記バネは、前記一対のスリーブのそれぞれに備えられて、各スリーブを、前記挿入口への非挿入時に他方のスリーブと離反する方向に摺動するよう付勢する。この構成によれば、光遮断アダプタに接続された光コネクタが抜かれる場合に、光スイッチのような能動的なデバイス及びその制御回路を使用せずに光信号の経路を切り替えることができるので、光信号が外部に漏れることがなく、保守作業時に光信号のレーザ光を直視する危険性を避けることができる。
【０００８】
また、本発明に係る光受信装置は、前記記載の光遮断アダプタと、前記光遮断アダプタの両端に接続された前記一対の光コネクタと、前記一対の光コネクタのうち出力側の光コネクタを介して前記光遮断アダプタに接続された光受信器とを更に備えたものである。この構成によれば、光受信器をシステムから取り外すために、一対の光コネクタのうち出力側の光コネクタを光遮断アダプタから抜くと、光遮断アダプタで光信号は反射されるため、光スイッチのような能動的なデバイス及びその制御回路を使用せずに光信号の経路を切り替えることができるので、光信号が外部に漏れることがなく、保守作業時に光信号のレーザ光を直視する危険性を避けることができる。
【０００９】
また、前記記載の光受信装置と、前記光受信装置に備えられた前記光受信器側に接続された前記光コネクタとは反対側の光コネクタに接続されたサーキュレータと、前記光受信器側の前記光コネクタを抜いたときに前記光遮断アダプタで反射した光信号を、前記サーキュレータを介して受信する予備の光受信器とを更に備える。この構成によれば、光受信器に接続された光コネクタが抜かれたときに、光遮断アダプタで反射された光信号がサーキュレータを通って、予備の光受信器に入力されるので、光スイッチのような能動的なデバイス及びその制御回路を使用せずに光信号の経路を切り替えることができるので、光信号が外部に漏れることがなく、光信号のレーザ光を直視する危険を避けることができ、また、能動的なデバイスを使用せずに予備の光受信器に光信号を切り替えることができる。
【００１０】
さらに、本発明に係る光受信システムは、前記記載の光受信装置と、複数の前記予備の光受信器と、複数の前記サーキュレータとを備える。この構成によれば、光遮断アダプタに接続された光コネクタが抜かれる場合に、光スイッチのような能動的なデバイス及びその制御回路を使用せずに光信号の経路を切り替えることができるので、光信号が外部に漏れることがなく、光信号のレーザ光を直視する危険を避けることができ、また、能動的なデバイスを使用せずに予備の光受信器に光信号を切り替えることができる。
【００１１】
【発明の実施の形態】
以下、図面を参照して本発明の実施の形態を具体的に説明する。
＜第１の実施の形態＞
図１は、本発明の第１の実施の形態に係る光遮断アダプタの構成を示す断面図である。図１に示すように、光遮断アダプタ３には、光を外部に漏らすことのないように遮蔽するハウジング３Ａ内部に、光信号を反射させる流体として水銀３Ｂを収容した収容槽３Ｃと、光コネクタ２、４が挿入される両端部の挿入口間が貫通されていて、かつ収容槽３Ｃ底部と連通口３Ｄを介して連通し、光ファイバ１が接続された光コネクタ２と光ファイバ５が接続された光コネクタ４とにそれぞれ接続される２つのスリーブ３Ｅ、３Ｆを収容した貫通路３Ｇと、スリーブ３Ｆをスリーブ３Ｅと離反する方向に付勢するバネ３Ｈを収容した収容部３Ｉとを有する。
【００１２】
このため、光コネクタ２が貫通路３Ｇの一端側の挿入口に挿入されてスリーブ３Ｅと接続されている状態で、光コネクタ４を貫通路３Ｇの他端側の挿入口に挿入しバネ３Ｈの付勢力に抗して押圧すると、貫通路３Ｇ内のスリーブ３Ｆがスリーブ３Ｅ側方向に摺動してスリーブ３Ｅと３Ｆの端面が当接することで光コネクタ２−スリーブ３Ｅ−スリーブ３Ｆ−光コネクタ４間の光信号の通路が形成される。これにより、光ファイバ１から光コネクタ２−スリーブ３Ｅを介して入力される光信号は、スリーブ３Ｆ−光コネクタ４を介して外部に漏れることなく光ファイバ５側に出力される。
【００１３】
また、光コネクタ４を貫通路３Ｇの他端側の挿入口から抜き去ると、バネ３Ｈの付勢力により貫通路３Ｇ内のスリーブ３Ｆがスリーブ３Ｅと離反する方向に摺動して貫通路３Ｇ内のスリーブ３Ｅとスリーブ３Ｆの間の空隙３Ｊには、連通口３Ｄを介して収容槽３Ｃ内の水銀３Ｂが流入する。これにより、光ファイバ１から光コネクタ２−スリーブ３Ｅを介して入力される光信号は、水銀３Ｂによって反射されて外部に漏れないようになされている。すなわち、水銀３Ｂがスリーブ３Ｅの端面に接触するため、光信号はこの端面で全反射されて光ファイバ１側に出力される。
【００１４】
したがって、上記第１の実施の形態によれば、光遮断アダプタに接続された光コネクタが抜かれる場合に、光スイッチのような能動的なデバイス及びその制御回路を使用せずに光信号の経路を切り替えることができるので、光信号が外部に漏れることがなく、保守作業時に光信号のレーザ光を直視する危険性を避けることができる。
【００１５】
＜第２の実施の形態＞
図２は、本発明の第２の実施の形態に係る光遮断アダプタの構成を示す断面図である。図２に示す第２の実施の形態は、図１に示す第１の実施の形態の変形例であり、スリーブ３Ｅ側にもスリーブ３Ｆ側と同様にバネ３Ｋを取り付けた構成例を示している。図１に示す第１の実施の形態との違いは、両端の光コネクタ２又は光コネクタ４のどちらを抜いてもスリーブ３Ｅとスリーブ３Ｆの間の空隙３Ｊに水銀３Ｂが満たされ、光信号が反射されるようになることである。
【００１６】
したがって、上記第２の実施の形態によれば、第１の実施の形態と同様に、光遮断アダプタに接続された光コネクタが抜かれる場合に、光スイッチのような能動的なデバイス及びその制御回路を使用せずに光信号の経路を切り替えることができるので、光信号が外部に漏れることがなく、保守作業時に光信号のレーザ光を直視する危険性を避けることができる。
【００１７】
＜第３の実施の形態＞
図３は、本発明の第３の実施の形態に係るもので、上述した各実施の形態に係る光遮断アダプタ３を用いた光受信装置の構成を示すブロック図である。この第３の実施の形態では、光信号は、光コネクタ２から前記光遮断アダプタ３と光コネクタ４を通って光受信器６に入力されている。
【００１８】
このような構成によれば、光受信器６をシステムから取り外すために、一対の光コネクタのうち出力側の光コネクタ４を光遮断アダプタ３から抜くと、光遮断アダプタ３で光信号は反射されるため、光スイッチのような能動的なデバイス及びその制御回路を使用せずに光信号の経路を切り替えることができるので、光信号が外部に漏れることがなく、保守作業時に光信号のレーザ光を直視する危険性を避けることができる。
【００１９】
＜第４の実施の形態＞
図４は、本発明の第４の実施の形態に係るもので、上述した各実施の形態に係る光遮断アダプタ３を用いた光受信装置の構成を示すブロック図である。この第４の実施の形態において、光受信器６Ａが交換などのためにシステムから取り外すことが必要となった場合、光コネクタ４を光遮断アダプタ３から抜くと、入力されている光信号は、光遮断アダプタ３で反射されて、サーキュレータ７を通って予備の光受信器６Ｂに入力される。
【００２０】
したがって、第４の実施の形態によれば、光コネクタ２、４と、光遮断アダプタ３と、複数の光受信器６Ａ、６Ｂと、サーキュレータ７とを備え、光受信器６Ａに接続された光コネクタ４が抜かれたときに、光遮断アダプタ３で反射された光信号がサーキュレータ７を通って、予備の光受信器６Ｂに入力されるように接続されることで、光スイッチのような能動的なデバイス及びその制御回路を使用せずに光信号の経路を切り替えることができるので、光信号のレーザ光を直視する危険を避けることができる。また、能動的なデバイスを使用せずに予備の光受信器に光信号を切り替えることができる。
【００２１】
＜第５の実施の形態＞
図５は、本発明の第５の実施の形態に係る光受信システムの構成を示すブロック図であり、図４に示す第４の実施の形態の変形例である。この第５の実施の形態は、複数の光受信器６Ａ、６Ｂ、６Ｃ、６Ｄと、光コネクタ２、４がそれぞれ両端に接続された複数の光遮断アダプタ３と、複数のサーキュレータ７を備えた光受信システムの構成を示している。光受信器６Ａ〜６Ｄのうちいずれか１つ以上を交換するために、光遮断アダプタ３から光コネクタ４を抜いた場合には、光遮断アダプタ３で光信号が反射され、次段以降の光コネクタ４が接続されている光受信器に光信号が入力されることになる。
【００２２】
したがって、第５の実施の形態によれば、光遮断アダプタ３に接続された光コネクタ４が抜かれる場合に、光スイッチのような能動的なデバイス及びその制御回路を使用せずに光信号の経路を切り替えることができるので、光信号のレーザ光を直視する危険を避けることができる。また、能動的なデバイスを使用せずに予備の光受信器に光信号を切り替えることができる。
【００２３】
【発明の効果】
以上説明したように、本発明によれば、光遮断アダプタに接続された光コネクタが抜かれる場合に、光スイッチのような能動的なデバイス及びその制御回路を使用せずに光信号の経路を切り替えることができ、また、光信号のレーザ光を直視する危険を避けることができる。
【図面の簡単な説明】
【図１】本発明の第１の実施の形態に係る光遮断アダプタの構成を示す断面図
【図２】本発明の第２の実施の形態に係る光遮断アダプタの構成を示す断面図
【図３】本発明の第３の実施の形態に係る光受信装置の構成を示すブロック図
【図４】本発明の第４の実施の形態に係る光受信装置の構成を示すブロック図
【図５】本発明の第５の実施の形態に係る光受信システムの構成を示すブロック図
【符号の説明】
１、５  光ファイバ
２、４  光コネクタ
３  光遮断アダプタ
３Ａ  ハウジング
３Ｂ  水銀（光を反射する流体）
３Ｃ  収容槽
３Ｄ  連通口
３Ｅ、３Ｆ  スリーブ
３Ｇ  貫通路
３Ｈ、３Ｋ  バネ
３Ｉ  収容部
３Ｊ  空隙
６、６Ａ〜６Ｄ  光受信器
７  サーキュレータ
【図１】
2004271745.tif 000003
【図２】
2004271745.tif 000004
【図３】
2004271745.tif 000005
【図４】
2004271745.tif 000006
【図５】
2004271745.tif 000007